(57)【要約】【課題】山間地などの遠隔地に設けられた機器を、既設の設備を活用することにより、緊急時においても迅速かつ確実に操作することができる遠隔地機器操作システムを提供する。【解決手段】操作対象機器１１を中央設備１２に設けられた処理装置１３を介して中央設備１２外から操作する遠隔地機器操作システムであって、中央設備１２に設けられた親局１５と、子局１７に設けられた収集装置１８と、通信回線ＭＬとからなるテレメータを活用し、子局１７に設けた携帯電話とのインタフェース装置２１により、携帯電話端末２２から発信された操作対象機器１１に対する操作信号を受信し、これを、テレメータにより送信する信号に変換して中央設備１２に送信し、処理装置１３を介して遠隔操作できるように構成した。【選択図】図１
2010057044.tif 000002
【特許請求の範囲】
【請求項１】
中央設備に設けられた親局と、中央設備外に設けられた子局と、通信回線とからなり、前記子局の情報収集手段が収集する前記中央設備が必要とする情報を前記通信回線を介して前記親局に送信するテレメータを備え、前記親局から受信する前記情報により操作対象機器を前記中央設備に設けられた処理装置を介して中央設備外から操作する遠隔地機器操作システムであって、
携帯電話端末と、
前記情報収集手段に接続され、前記携帯電話端末と無線通信し、前記携帯電話端末から前記中央設備に向けて発信された前記操作対象機器に関する前記情報を受信し、受信した前記情報を前記テレメータにより送信する信号に変換して前記子局から親局を経て処理装置に送信させるインタフェース装置と
を備えたことを特徴とする遠隔地機器操作システム。
【請求項２】
前記携帯電話端末は、この携帯電話端末のキーボタンから入力された情報を前記インタフェース装置に送信することを特徴とする請求項１に記載の遠隔地機器操作システム。
【請求項３】
前記インタフェース装置は、予め特定された前記携帯電話端末との間で対向通信可能に構成され、受信した信号が、前記特定された携帯電話端末からの信号かを識別し、前記特定された携帯電話端末からの信号で有る場合、この信号をテレメータにより送信する信号に変換処理して前記情報収集手段へ出力し、前記親局へ送信させることを特徴とする請求項１に記載の遠隔地機器操作システム。
【請求項４】
前記インタフェース装置は、外部の前記携帯電話端末とプレストークモードで通信可能な内部携帯電話端末を有し、前記外部の携帯電話端末が予め登録された電話番号であればその外部の携帯電話端末を前記内部携帯電話端末に接続し、この外部の携帯電話端末から前記内部携帯電話端末へ送信された情報を、テレメータにより送信する信号に変換処理して前記情報収集手段へ出力し、前記親局へ送信させることを特徴とする請求項１に記載の遠隔地機器操作システム。
【請求項５】
前記インタフェース装置は、前記携帯電話端末から送信された前記情報を受信した場合、割り込み信号を前記情報収集手段へ送信し、前記情報収集手段は、前記割り込み信号を受信した場合、通常のテレメータ情報の送信を中断し、その受信した情報をテレメータが送信する信号に変換して前記親局へ送信することを特徴とする請求項１に記載の遠隔地機器操作システム。
【請求項６】
前記収集装置、又は前記親局は、前記携帯電話端末から送信された前記情報を監視し、所定の基準から外れた異常な観測値で有った場合、その観測値に基づき操作対象となる機器への操作信号に変換することを特徴とする請求項５記載の遠隔地機器操作システム。
【請求項７】
中央設備に設けられた親局に対し、中央設備外に設けられ、情報収集手段を有し、この情報収集手段が収集する前記中央設備が必要とする情報を、通信回線を介して前記親局に送信するテレメータを構成する子局であって、
前記情報収集手段に接続され、外部に設けられた携帯電話端末と無線通信し、前記携帯電話端末から前記中央設備に向けて発信された操作対象機器に関する情報を受信し、受信した前記情報を前記テレメータにより送信する信号に変換して前記親局に送信させるインタフェース装置を備え、
前記親局に送信した前記情報により操作対象機器を前記中央設備に設けられた処理装置を介して中央設備外から操作する遠隔地機器操作システムを構成する子局。
【請求項８】
前記インタフェース装置は、予め特定された前記携帯電話端末との間で対向通信可能に構成され、受信した信号が、前記特定された携帯電話端末からの信号かを識別し、前記特定された携帯電話端末からの信号で有る場合、この信号をテレメータにより送信する信号に変換処理して前記情報収集手段へ出力し、前記親局へ送信させることを特徴とする請求項７に記載の子局。
【請求項９】
前記インタフェース装置は、外部の前記携帯電話端末とプレストークモードで通信可能な内部携帯電話端末を有し、前記外部の携帯電話端末が予め登録された電話番号であればその外部の携帯電話端末を前記内部携帯電話端末に接続し、この外部の携帯電話端末から前記内部携帯電話端末へ送信された情報を、テレメータにより送信する信号に変換処理して前記情報収集手段へ出力し、前記親局へ送信させることを特徴とする請求項７に記載の子局。
【請求項１０】
前記インタフェース装置は、前記携帯電話端末から送信された前記情報を受信した場合、割り込み信号を前記情報収集手段へ送信し、前記情報収集手段は、前記割り込み信号を受信した場合、通常のテレメータ情報の送信を中断し、その受信した情報をテレメータが送信する信号に変換して前記親局へ送信することを特徴とする請求項７に記載の子局。
【請求項１１】
前記収集装置は、前記携帯電話端末から送信された前記情報を監視し、所定の基準から外れた異常な観測値で有った場合、その観測値に基づき操作対象となる機器への操作信号に変換することを特徴とする請求項７に記載の子局。
【請求項１２】
中央設備に設けられた親局と、中央設備外に設けられた子局と、通信回線とからなるテレメータを用い、前記子局の情報収集手段が収集する前記中央設備が必要とする情報を、前記通信回線を介して前記親局に送信し、前記親局から受信する前記情報により、操作対象機器を前記中央設備に設けられた処理装置を介して中央設備外から操作する遠隔地機器操作方法であって、
前記情報収集手段に接続されたインタフェース装置により、外部の携帯電話端末と無線通信し、前記携帯電話端末から前記中央設備に向けて発信された前記操作対象機器に関する前記情報を受信し、受信した前記情報を前記テレメータにより送信する信号に変換して前記子局から親局を経て処理装置に送信させる
ことを特徴とする遠隔地機器操作方法。
【発明の詳細な説明】
【技術分野】
【０００１】
本発明は、操作対象機器を中央設備に設けられた処理装置を介して中央設備外から操作する遠隔地機器操作システム、その子局、および遠隔地機器操作方法に関する。
【背景技術】
【０００２】
近年、地球温暖化の影響と考えられる気候の変化が見られ、台風や地震、集中豪雨等により予想を上回る被害に見舞われている。こうした自然災害に対する様々な取り組みや設備の導入は進められてはいるものの、平野部が少なくかつ地震の多い日本では、土砂崩れによるライフラインの寸断や急激な出水による孤立・遭難などの被害が目立つようになった。中でも道路の寸断は人と物の移動を妨げてしまうため、緊急時の体制や迅速な一次対応がとれず、被害をさらに大きくしてしまったケースも少なくない。
【０００３】
特に、災害時の被害が大きいとされる山間部にダムは位置しており、常時（２４時間）有人管理を行っているダムは年々減少傾向にある。そのため、緊急時の体制をとる場合などは操作員がダムに到着して設備、装置に必要な操作を開始するまでに数時間要するケースは稀ではなく、道路が寸断されれば辿り着けないことになり、対応の遅れが下流域に住む住民の生命を危険にさらしてしまうリスクを有していることになる。
【０００４】
一方、平野部のみならず山間部にも様々なデータを観測・計測するための遠隔監視設備が設置されており、それに関する特許提案もなされている（例えば、特許文献1参照）。これらの遠隔監視設備は、無人化で運用され防災に大きく寄与している。
【特許文献１】特開２００７−４７８７８号公報
【発明の開示】
【発明が解決しようとする課題】
【０００５】
このように、山間地などでは、遠隔地の各種データを観測・計測する遠隔監視設備であるテレメータを用いて、中央設備から警報設備等を操作する遠隔地機器操作システムが設置されている。そこで、台風接近などで災害発生の恐れがあるような緊急時においては、テレメータを用いた遠隔地機器操作システムにより、通信手段が無い山間地などの遠隔地に設けられた機器を迅速かつ確実に操作できることが望まれている。
【０００６】
しかし、テレメータは、低速の接点情報を伝送する等、専用の通信手段を用いていることや、既定の伝送内容に限定されていることから、緊急時に現地で点検中の操作員が、中央設備へ緊急に情報を追加、又は割り込み伝送し、警報設備等を操作したいにも拘わらず対応出来ない問題があった。
【０００７】
本発明の目的は、山間地などの遠隔地に設けられた機器を、緊急時においても既設のテレメータを活用することにより、迅速かつ確実に操作することができる遠隔地機器操作システム、その子局、および遠隔地機器操作方法を提供することにある。
【課題を解決するための手段】
【０００８】
本発明に係る遠隔地機器操作システムは、中央設備に設けられた親局と、中央設備外に設けられた子局と、通信回線とからなり、前記子局の情報収集手段が収集する前記中央設備が必要とする情報を前記通信回線を介して前記親局に送信するテレメータを備え、前記親局から受信する前記情報により操作対象機器を前記中央設備に設けられた処理装置を介して中央設備外から操作する遠隔地機器操作システムであって、携帯電話端末と、前記情報収集手段に接続され、前記携帯電話端末と無線通信し、前記携帯電話端末から前記中央設備に向けて発信された前記操作対象機器に関する前記情報を受信し、受信した前記情報を前記テレメータにより送信する信号に変換して前記子局から親局を経て処理装置に送信させるインタフェース装置とを備えることを特徴とする。
【０００９】
本発明では、前記携帯電話端末は、この携帯電話端末のキーボタンから入力された情報を前記インタフェース装置に送信する。
【００１０】
また、本発明では、前記インタフェース装置は、予め特定された前記携帯電話端末との間で対向通信可能に構成され、受信した信号が、前記特定された携帯電話端末からの信号かを識別し、前記特定された携帯電話端末からの信号で有る場合、この信号をテレメータにより送信する信号に変換処理して前記情報収集手段へ出力し、前記親局へ送信させている。
【００１１】
また、本発明では、前記インタフェース装置は、外部の前記携帯電話端末とプレストークモードで通信可能な内部携帯電話端末を有し、前記外部の携帯電話端末が予め登録された電話番号であればその外部の携帯電話端末を前記内部携帯電話端末に接続し、この外部の携帯電話端末から前記内部携帯電話端末へ送信された情報を、テレメータにより送信する信号に変換処理して前記情報収集手段へ出力し、前記親局へ送信させる構成でもよい。
【００１２】
また、本発明では、前記インタフェース装置は、前記携帯電話端末から送信された前記情報を受信した場合、割り込み信号を前記情報収集手段へ送信し、前記情報収集手段は、前記割り込み信号を受信した場合、通常のテレメータ情報の送信を中断し、その受信した情報をテレメータが送信する信号に変換して前記親局へ送信する構成でもよい。
【００１３】
また、本発明では、前記収集装置、又は前記親局は、前記携帯電話端末から送信された前記情報を監視し、所定の基準から外れた異常な観測値で有った場合、その観測値に基づき操作対象となる機器への操作信号に変換する構成にするとよい。
【００１４】
また、本発明の子局は、中央設備に設けられた親局に対し、中央設備外に設けられ、情報収集手段を有し、この情報収集手段が収集する前記中央設備が必要とする情報を、通信回線を介して前記親局に送信するテレメータを構成する子局であって、前記情報収集手段に接続され、外部に設けられた携帯電話端末と無線通信し、前記携帯電話端末から前記中央設備に向けて発信された操作対象機器に関する情報を受信し、受信した前記情報を前記テレメータにより送信する信号に変換して前記親局に送信させるインタフェース装置を備え、前記親局に送信した前記情報により操作対象機器を前記中央設備に設けられた処理装置を介して中央設備外から操作する遠隔地機器操作システムを構成する。
【００１５】
さらに、本発明の遠隔地機器操作方法は、中央設備に設けられた親局と、中央設備外に設けられた子局と、通信回線とからなるテレメータを用い、前記子局の情報収集手段が収集する前記中央設備が必要とする情報を、前記通信回線を介して前記親局に送信し、前記親局から受信する前記情報により、操作対象機器を前記中央設備に設けられた処理装置を介して中央設備外から操作する遠隔地機器操作方法であって、前記情報収集手段に接続されたインタフェース装置により、外部の携帯電話端末と無線通信し、前記携帯電話端末から前記中央設備に向けて発信された前記操作対象機器に関する前記情報を受信し、受信した前記情報を前記テレメータにより送信する信号に変換して前記子局から親局を経て処理装置に送信させることを特徴とする。
【発明の効果】
【００１６】
本発明によれば、各種データの観測・計測のために設置されているテレメータ等の既設設備を活用することにより、緊急時において、山間地などの遠隔地に設けられた機器の操作にあたり、操作員が現地に到着する前の段階で、迅速かつ確実に操作することができる。
【発明を実施するための最良の形態】
【００１７】
以下、本発明に係る遠隔地機器操作システムの一実施の形態について、図面を用いて詳細に説明する。
【００１８】
図１はこの実施の形態の全体構成を示している。操作対象機器（装置を含む）１１ａ〜ｎ（以下、必要が無い限り機器１１と略す。）は、山間部などの遠隔地に設けられ、例えば、ダム施設におけるゲートや河口部の水門はじめそれらの警報設備、及びその補機類等である。中央設備１２は、これら機器１１を運用、管理するものであり、機器１１に対する操作を含む監視制御を行うための処理装置１３を有する。処理装置１３は、通信回線ＣＬを介して操作信号や警報信号を送信して機器１１を操作、制御する。この処理装置１３は、コンピュータにより構成されており、周辺機器１４として表示・記録、操作データ等の入力を行う端末機器やプリンタ、通信機器などを有する。
【００１９】
また、この中央設備１２には、各種情報の観測・収集に用いられ、テレメータと呼ばれる遠隔監視システムの親局１５が設けられ、処理装置１３に接続されている。
【００２０】
親局１５との間でデータ授受を行う子局１７Ａ〜１７Ｎ（以下、必要が無い限り子局１７と略す。）は、中央設備１２外の、例えば、前記ダム施設に関係する河川の流域などに広範囲にわたって機器１１と連携した情報を伝送する為に複数個所設けられる。それぞれの子局１７は、親局１５へ送信する情報としてセンサ装置（図示せず。）等に依って計測、取得されたモニタ信号等の計測情報を収集する収集装置１８を備える。収集装置１８は、収集した計測情報をテレメータ形式の信号（テレメータ情報と呼ぶ。）にして通信回線ＭＬを介して親局１５へ送信する。
【００２１】
すなわち、子局１７は、その設置地点における各種の計測情報など、中央設備１２が必要とする情報を通信回線ＭＬにより送信する機能を少なくとも有する。また、子局１７は、通信回線ＭＬを介して、中央設備１２から応答信号、警報信号等を受信し、その周辺に警報を発報したりする機能等を備える場合もある。
【００２２】
通信回線ＭＬは、無線回線、専用線、ＷＡＮ等のネットワーク等が使用され、この通信回線を介して信号を送受信する通信手段は、親局１５、収集装置１８に含まれる。言い換えれば、ここでのテレメータとは、親局１５と、収集装置１８と、通信回線ＭＬとを備える遠隔監視システムである。
【００２３】
テレメータや警報信号等の情報伝送方法については、例えば、国土交通省の仕様、放流警報装置標準仕様書（国電通仕第２７号）、テレメータ装置標準仕様書（国電通仕第２１号）に従ったものが用いられる。
【００２４】
テレメータ情報は、通信回線ＭＬを介して収集装置１８から中央設備１２の親局１５を経て処理装置１３に送られ、処理装置１３は、受信したテレメータ情報を判読する。そして所定のプログラムによりそのテレメータ情報、言い換えればモニタ信号に対応する機器（装置）１１へ通信回線ＣＬを介して警報信号や制御信号を送信して操作する。
【００２５】
この実施の形態では、平野部や山間部、河川沿いなどに設置されるテレメータの設備を擁する子局１７に、携帯電話端末２２からの遠隔操作信号を受信・中継できる機能を設けている。すなわち、台風や地震，集中豪雨などの災害により、ダムや水門の迅速な操作が必要であっても現場への到着が困難で操作員が緊急時等に直接機器や施設の操作が行えない場合に携帯電話端末２２から設備の操作信号を発信できるように構成した。
【００２６】
通常、処理装置１３は、テレメータ情報を元に所定のプログラムにより操作対象機器の動作手順や起動・停止等を制御・操作する。この実施の形態では、モニタ信号は、処理装置１３に操作を促すものが含まれる。例えば、ダム施設の水位情報として、危険水位を超えるデータが入力されれば、中央設備１２側で水位情報に対応するゲートを開くと判断し、機器１１として対応するその子局１７が設置されているダム施設のゲートを開く操作をする様な場合である。
【００２７】
また、計測情報には、モニタ信号の他に、操作信号として扱われるものも含まれる場合もあり、予め、収集装置１８が収集するデータ項目の１つとして設定されることもある。例えば、センサ装置で計測したモニタデータにより強制的にゲートを開くコマンド、即ち操作信号である。この場合、処理装置１３は、受信する操作信号、コマンドを実行する制御信号を当該機器１１へ向けて通信回線ＣＬを介して送信する。
【００２８】
本実施の形態の子局１７には、それぞれインタフェース装置２１が設けられており、このインタフェース装置２１は、外部の携帯電話端末２２から操作員によって入力され、発信された、操作対象機器１１に対する情報、例えば、緊急に水門を閉鎖する操作信号を、アンテナ２４を介して受信する。そして、受信した情報（操作信号）を、テレメータにより送信する信号（テレメータ信号形式）に変換して収集装置１８に渡すインタフェース機能を有する。インタフェース装置２１を介して情報、又は操作信号を受信した収集装置１８は、テレメータ機能により親局１５へ中継・転送し、中央設備１２にて目的の制御を対応する機器１１に実行する。
【００２９】
携帯電話端末２２から送信される信号は緊急時であることを考慮すると必要な情報のみにて構成されることが望ましいと同時に、高いセキュリティが要求されるため［セキュリティ番号１＋制御番号＋セキュリティ番号２］や［個人識別番号＋定周期更新セキュリティＩＤ番号＋制御番号］などの構成とする。
【００３０】
子局１７に設けたインタフェース装置２１は、携帯電話で使用する周波数帯の信号を受信するアンテナ２４とテレメータ収集装置１８とのインタフェース機能を持っており、常時信号受信可能な状態にされている。収集装置１８は、緊急の情報、操作信号が入力された場合は、通常行っている正／定時のデータ収集・送信動作とは別に、インタフェース装置２１からの割り込み、追加等を示す制御信号を収集装置１８へ送信して随時親局１５向けに携帯電話端末２２からの受信信号をテレメータ情報にして転送することができる構成とする。
【００３１】
インタフェース装置２１は、例えば、携帯電話端末２２の送信するキャリヤを受信し、リンクが確立されると割り込み待機状態になる。そして、キーボタン等から入力された予め設定された緊急の情報、操作信号を受信すると、割り込み信号を収集装置１８へ出力する。収集装置１８は、割り込み信号が入力されると、受信した緊急の情報、操作信号をテレメータ情報（信号）に変換して、割り込みを通知する信号と共に親局１５へ送信する。
【００３２】
なお、インタフェース装置２１は、割り込み信号を送信しないで携帯電話端末２２から受信したデータを親局１５へ送信するものでも良い。この場合、携帯電話端末２２からデータを受信しない場合には、収集装置１８は、インタフェース装置２１からのデータを「無し」、としたモニタ信号をテレメータ情報として親局１５送信する。もし、データを受信した場合は、そのデータに対応した所定の操作を処理装置１３が実行する。
【００３３】
本実施の形態では操作信号を扱うので、受信信号を確実に親局へ中継・転送する高い信頼性が求められる。このため、信号送信についてはサイクリック伝送などを用いるとよい。また、収集装置１８は、親局１５へ送信したデータに対応する応答信号を親局１５から受信した場合、それが携帯電話端末２２から受信したテレメータ情報に係わるものであれば、インタフェース装置２１へ転送する。
【００３４】
中央設備１２では、親局１５により、収集装置１８から受信した伝送信号、即ちテレメータ情報から携帯電話端末２２からの情報、操作信号を抽出し、処理装置１３により操作対象機器１１へ予め定められた手順、入出力条件で動作する様に制御信号を送信する。
【００３５】
なお、携帯電話端末２２から発信された信号を複数子局１７の各収集装置１８で受信し、それぞれが親局１５へ中継・転送することがある。このため、操作対象機器１１の遠隔操作の内容が複数定義されている場合は、親局１５で抽出した制御信号が一致するか判定し、不一致の場合は親局１５から発信者へ再発信要求をする。または親局１５側にて受信順位に優先度を付けるなどの機能を設定する。また、親局１５での受信履歴は装置本体もしくはプリンタなどに記録保存するものとする。
【００３６】
操作対象機器１１は、親局１５からの操作信号に基づく処理装置１３からの制御信号により動作する機能を有する。緊急時の遠隔操作は発信者側に複雑さ、煩雑さを課してはならないため、１回の発信信号により一次対応として必要な制御機能を組み込むことが望ましい。例えば、ダムの場合は、「制御信号 ⇒ サイレン鳴動 → 固定メッセージ放送 → ゲート動作」、また、防潮水門の場合は「制御信号 ⇒ サイレン鳴動 → 固定メッセージ放送 → 水門全閉動作」というような一連の動作が行われるように処理装置１３を設定する。
【００３７】
操作対象機器１１は、処理装置１３を介して、親局１５に対して制御結果（制御の開始／終了）を返送する。返送された制御結果は、通信回線ＭＬを介して更に子局１７の収集装置１８のインタフェース装置２１に転送され、そこから携帯電話端末２２向けに簡易的な信号を発信できる機能を設ける。即ち、応答信号を携帯電話端末２２へ転送することにより、発信者に対して処理が行われたことを伝えることができる。
【００３８】
これらの結果、施設の運用管理者がすぐに現場へ辿り着けないような状況下でも迅速な一次対応を行うことができ、また、一般住民の生命・生活・財産を守るという意味において施設自体の多目的化を図ることができ、地域への密着性や有意性を大いに高める結果となる。
【００３９】
上記インタフェース装置２１の具体的構成としては、その設置場所がダム施設に関係する河川の流域のような、携帯電話基地局の電波が到達しない山中等にあることから、携帯電話のダミー基地局として機能する設備を用いる。以下、図２で示すように、ダミー基地局２１Ａとして説明する。このダミー基地局２１Ａは、アンテナ２４を有する送受信部２５、端末識別部２６、疑似応答部２７、ダイヤルトーン（以下、ＤＴ）処理部２８、及びテレメータインタフェース（以下、ＴＭＩＦ）部２９を有する。
【００４０】
そして、このダミー基地局２１Ａは、その収容範囲内に位置する携帯電話端末２２Ａを擬似的に収容する。また、このダミー基地局２１Ａは、本来通信が途絶した限定的な地域内での通信のため、携帯電話端末２２Ａと行う通信は、対向通信（２者間のみでの通信）に限定される。このため、ダミー基地局２１Ａは、一般の携帯電話基地局が行うような、端末がセル間を移動する場合のハンドオーバ処理（基地局の切り替え処理）、交換処理は不要である。すなわち、ダミー基地局２１Ａは、簡易な通信制御を行うだけで良い。
【００４１】
送受信部２５は、アンテナ２４を介して携帯電話用端末２２Ａとの間で無線通信を行う。端末識別部２６は、予め特定された携帯電話端末の電話番号等を登録記憶しており、送受信部２５で受信した携帯電話端末２２Ａが、予め特定された、例えば、ダム施設の操作員等が使用するものかどうかを判別する。疑似応答部２７は、携帯電話端末と一般的な携帯電話基地局との間で通常行われる端末の収容、無線接続・収容処理のみを模擬的に行うもので、電話網との接続は行わない。
【００４２】
すなわち、この疑似応答部２７は、携帯電話システムでの制御チャネルの制御動作を実施する。ＤＴ処理部２８は、携帯電話端末２２Ａとダミー基地局２１Ａとが無線接続された（収容処理された）状態で、携帯電話端末２２Ａのキーボタンが押された場合、そのダイヤルトーン信号（ＤＴＭＦ：キーボタン信号）を判読する。ＴＭＩＦ部２９は、そのダイヤルトーン信号の組合せから、あらかじめ定めた緊急情報に変換して生成した観測信号、すなわち、テレメータが送信する形式の信号を子局１７の収集装置１８に設けられたデータＩＯ部３１へ出力する。
【００４３】
以下、図３のフローチャートを参照してダミー基地局２１Ａを中心とした動作を具体的に説明する。図３において、ダミー基地局２１Ａに設けた疑似応答部２７は、ＢＣＣＨ（報知チャネル）により、通常の基地局からセル内に存在する端末へ報知すべき情報と同様の情報（模擬基地局信号）を、送受信部２５からアンテナ２４を介して送信する（ステップｓ１）。
【００４４】
ダム施設の操作員等が所持している携帯電話端末２２Ａは、この情報を受信する（ステップｓ２）と、ダミー基地局２１Ａとの間の無線通信が可能になり、基地局とのリンクを確立する。言い換えればダミー基地局２１Ａへ収容可能になるため、所定の携帯電話接続処理に係わるプロトコルに従って接続要求信号を送信する。この接続要求信号のキャリヤを受信した端末識別部２６は、登録された電話番号と一致した場合（ステップｓ３：Ｙｅｓ）、当該携帯電話端末２２Ａを仮収容する（ステップｓ４）。
【００４５】
ダム施設の操作員は、ダムへ流入量が増え、緊急に放流が必要と判断した場合、この操作員が遠隔地に位置していても、携帯電話端末２２Ａから操作対象機器１１を操作することができる。すなわち、携帯電話端末２２Ａにより、例えば、「１１０１１９」の様な予め設定しておいた所定の呼び出し電話番号を入力して発呼（アクセス処理）を行う。疑似応答部１４は、このアクセスが有った場合（ステップｓ５：Ｙｅｓ）、疑似接続を行う（ステップｓ６）。そして、操作員からの緊急情報を待ち受ける。携帯電話端末２２Ａは、疑似接続に対応するダミー基地局２１Ａからのアンサートーンの状態を判読してキーボタンが入力可能になったことを知ることが出来る。
【００４６】
この場合、もし必要で有れば、疑似応答部２７は、図示しない音声ガイダンス信号生成手段により、キーボタン操作を促すか、更に、緊急情報の種類に対応してどのボタンを入力するかを指示するガイダンス音声を生成して携帯電話端末２２Ａへ返送しても良い。
【００４７】
ＤＴ処理部２８は、携帯電話端末２２Ａとダミー基地局とが無線接続（収容処理をしている）中に、携帯電話端末２２Ａのキーボタン操作によるダイヤルトーン信号（ＤＴＭＦ：キーボタン信号）を判読してＴＭＩＦ部２９へ出力（ステップｓ７）する。ＴＭＩＦ部２９は、そのダイヤルトーン信号の組合せから、あらかじめ定めた緊急情報に変換して生成した観測信号を収集装置１８に設けたデータＩＯ部３１へ出力する（ステップｓ８）。例えば、操作対象機器１１であるダム施設のゲートを開ける指示する場合であれば、「＊１００」の様なキーボタン信号が操作員によって携帯電話端末２２Ａへ入力される。
【００４８】
収集装置１８は、データＩＯ部３１により入力した観測信号（操作信号）を、テレメータ情報として中央設備１２の親局１５へ送信する。親局１５は、この観測信号を更に解読して処理装置１３に渡す。この信号が、ダム施設のゲートを開ける指示するコマンドの様な操作信号であった場合、図示しないダムの制御システムへこの操作信号（観測信号）が転送され、ダム施設のゲートを開ける操作が行われる。
【００４９】
また、コマンドでなく、計測情報、モニタ信号に相当するデータを操作信号として機能させることも可能である。例えば、ダム施設のゲートの危険水位が２ｍに対し、操作員が現地で観測した水位が通常のテレメータデータの収集タイミング（時間間隔）では検出できない速さで２．５ｍに急上昇している場合、緊急に２．５ｍの水位を、例えば、「ｄ２．５ｍ」の様なキーボタン操作により携帯電話端末２２へ入力して中央設備１２へ通知する場合も同様に緊急操作が可能である。
【００５０】
携帯電話端末２２からの水位データを受信したインタフェース装置２１は、割り込み信号を収集装置１８へ送信する。収集装置１８は割り込み処理を行い、通常のテレメータ情報に代わり、入力された水位２．５ｍのデータをテレメータ情報として親局１５へ送信する。処理装置１３は、この割り込み送信されたテレメータ情報を親局１５から受信し、ゲートを開くことが必要と判断すると直ちにダム施設のゲート開放の操作を行う。
【００５１】
更に、モニタ信号のデータを操作信号に変換する機能を備えるテレメータを構成しても良い。テレメータの収集装置１８又は親局１５には、計測情報であるモニタ信号の異常値を判定してアラーム信号を生成して出力するアラーム出力手段を備えるものがある。本実施の形態のテレメータでは、インタフェース装置２１からの割り込み信号を受信した場合、アラーム出力手段は、アラーム信号を発生する代わりに当該モニタ信号を予め設定した操作信号に変換して出力する操作信号送出機能（図示せず）を備えるものとする。
【００５２】
即ち、上記の水位を通知する場合、収集装置１８は、インタフェース装置２１から「ｄ２．５ｍ」を受信した場合、割り込み処理を行うと共に、「ｄ２．５ｍ」から危険値２ｍ以上の水位で有ることを判読し、アラーム信号を出力する代わりに操作信号「＊１００」を生成して親局１５へ送出する。更に親局１５を介して操作信号「＊１００」を受信した処理装置１３は、ゲートを開放する制御信号を出力する。
【００５３】
また、上記のアラーム出力手段は、詳細説明は省略するが親局１５に設けられても良く、同様にゲートを開く操作が行われる。
【００５４】
以上の様なゲートを開く操作が終了した時点で、中央設備１２の処理装置１３から操作信号に対する応答信号が収集装置１８へテレメータ（親局１５と通信回線ＭＬ）を介して返送され、更にインタフェース装置２１を介して携帯電話端末２２Ａへ伝えられる。インタフェース装置２１は、処理装置１３からの応答信号から、例えば、所定の断続音のトーン信号を生成して電話端末２２Ａへ送信する。
【００５５】
操作員が、携帯電話端末２２Ａを操作して電話接続を切断（オフフック）して現場を立ち去ると、ダミー基地局２１Ａの送受信部２５ではキャリヤが継続して受信できなくなり（ステップｓ９：Ｎｏ）、疑似応答部２７は、受信断と判定して仮収容を解除する（ステップｓ１０）。
【００５６】
このように、ダミー基地局２１Ａとして機能するインタフェース装置２１は、予め特定された携帯電話端末２２Ａとの間で対向通信可能に構成されており、送受信部２５により受信した信号が、端末識別部２６により特定された携帯電話端末２２Ａからの緊急情報として設定された操作信号と識別されると、この操作信号をＤＴ処理部２８により判読し、インタフェース（ＴＭＩＦ）部２９により、テレメータによって送信可能な信号に変換処理し、収集装置１８に出力する。そして、収集装置１８から親局１５に送信され、処理装置１３を経て機器１１を操作する。すなわち、ダミー基地局２１Ａがダイヤルトーン信号の緊急信号を受信して、テレメータの送信信号に変換生成するので、構成が容易、小型になる効果がある。
【００５７】
なお、上記実施の形態の変形例として、疑似接続が終了すると、疑似応答部２７がパケット送受信処理を行い、そして、ＤＴ処理部２８は、予め携帯電話端末２２Ａの画面にＷｅｂ表示をし、操作員がキーボタンを押すことによってＷｅｂ画面に入力された緊急情報を解読するようにしてもよい。この変形例の場合、ＤＴ処理部２８に代わってＷｅｂ処理部を設ければよい。また、図３のステップｓ７，ｓ８における「ＤＴ信号」を「Ｗｅｂ信号」と読み替えればよい。
【００５８】
次に、図４で示す実施の形態を説明する。この実施の形態では、子局１７に設けられるインタフェース装置２１として、外部携帯電話端末２２Ｂとプレストークモードで通信可能な内部携帯電話端末４１を有するプレストーク部２１Ｂを用いている。このプレストーク部２１Ｂは、外部携帯電話端末２２Ｂからの電波を、アダプタ４２を介して受信する。アダプタ４２は、受信した電波に含まれる端末の識別情報である電話番号が、予め登録された電話番号であればその外部携帯電話端末２２Ｂを内部携帯電話端末４１に接続する。ＤＴ−ＴＭ変換部４３は、プレストーク時、外部携帯電話端末２２Ｂから内部携帯電話端末４１に送信されるトーン信号（外部携帯電話端末２２Ｂのキーボタンから入力される）を所定の緊急信号や操作信号を、テレメータが送信する信号に変換する変換インタフェースである。
【００５９】
プレストーク部２１Ｂは、外部携帯電話端末２２Ｂから内部携帯電話端末４１にプレストーク送信された情報、データの信号を、ＤＴ−ＴＭ変換部４３によって、テレメータで送信する形式の信号に変換処理して、収集装置１８に設けられたデータＩＯ部３１へ出力する。
【００６０】
ここで、外部携帯電話端末２２Ｂと内部携帯電話端末４１とは、対向するプレストーク通話を行う端末である。また、アダプタ４２は、携帯電話端末２２Ｂ，４１間を中継接続するもので、従来ＰＨＳ電話システムで用いられているものと同様なものである。
【００６１】
図５は、図４で示したプレストーク部２１Ｂの処理手順を説明するフローチャートである。図５において、アダプタ４２は、模擬的な基地局信号を送信している（ステップｓ１１）。ダム施設の操作員などが、外部携帯電話端末２２Ｂを操作して、プレストークモードになるコマンドを入力すると、アダプタ４２との間で、プレストークモードになるネゴシエーションが実施され、プレストーク信号がアダプタ４２へ送信される。アダプタ４２は、プレストーク信号を受信する（ステップｓ１２）と、予め登録された電話番号であった場合（ステップｓ１３：Ｙｅｓ）、外部携帯電話端末２２Ｂと内部携帯電話端末４１とをリンク接続し（ステップｓ１４）、プレストーク通信が設定される。
【００６２】
内部携帯電話端末４１は、リンク接続後は、外部携帯電話端末２２Ｂから入力されるプレストーク送信される信号を受信し、図３で示した実施の形態と同様の処理（ｓ７〜ｓ９）を実行する。すなわち、ＤＴ−ＴＭ変換部４３により外部携帯電話端末２２Ｂから入力される緊急情報を所定の観測情報（信号）に変換して収集装置１８へ出力する。また、アダプタ４２は、外部携帯電話端末２２Ｂからのキャリヤが受信できなくなると（ステップｓ９がＮｏ）両携帯電話端末の間のリンクを解除する（ステップｓ１５）。
【００６３】
なお、プレストーク信号を受信後、ＤＴ−ＴＭ変換部４３は、必要に応じて、プレストーク信号を内部携帯電話端末４１へ送信して、所定の確認メッセージを外部携帯電話端末２２Ｂへ送信するように構成してもよい。この、確認メッセージは、受信したダイヤルトーン信号を解読した結果を合成音声信号にして、例えば「入力数字は、イチ、サン、ロクですね。」の様に復唱すると、操作員の操作確認が実施できる効果がある。
【００６４】
このように、上述の各実施の形態では、ダム施設、水門等の運用管理や河川監視に必要となる“データの収集”や“注意喚起”を主目的としたテレメータ設備を利用して、携帯電話により遠隔地にある機器・装置などの制御（操作）を行うための信号中継機能を備えることで、災害などの緊急時に不測の事態で必要な体制がとれない場合でも、ダムからの放流や水門の開／閉など施設の遠隔制御（操作）を行うことができ、一般住民の生活・生命・財産を守るための迅速な一次対応を行うことが可能となる。また機能の融合によってテレメータ設備を含む施設全体の有意性を高め、かつコスト縮減にも寄与できる。
【図面の簡単な説明】
【００６５】
【図１】本発明に係る遠隔地操作システムの基本概念を説明する図である。
【図２】本発明の遠隔地操作システムの一実施の形態を示す機能ブロック図である。
【図３】同上一実施の形態を説明するフローチャートである。
【図４】本発明の遠隔地操作システムの他の実施の形態を示す機能ブロック図である。
【図５】同上他の実施の形態を説明するフローチャートである。
【符号の説明】
【００６６】
１１    （操作対象）機器
１２    中央設備
１３    処理装置
１５    親局
１７    子局
１８    収集装置
２１    インタフェース装置
２１Ａ    ダミー基地局
２１Ｂ    プレストーク部
２２，２２Ａ，２２Ｂ，    携帯電話端末
ＭＬ、ＣＬ  通信回線
【図２】
2010057044.tif 000003
【図３】
2010057044.tif 000004
【図４】
2010057044.tif 000005
【図５】
2010057044.tif 000006
【図１】
2010057044.tif 000007